(57)【要約】【課題】特に机上等に載置するタイプのプロジェクタにおいて、ズーム調整とフォーカス調整を円滑かつ簡便に行えるようにする。【解決手段】ボブ３０３を矢印方向に回転させると、その駆動力がピニオンギア３０１を介してラックギア１０８に伝達され、プロジェクタ本体１０１が上方向に移動される。この移動に伴って、ピン１０３ｂがカム部２０６ｂに沿って移動し、これにより、フォーカス調整リング１０３ａが周方向に回転される。その結果、投写像のサイズ変更とフォーカス調整が同時に行われる。【選択図】図２
2008203340.tif 000002
【特許請求の範囲】
【請求項１】
投写像の被投写面と投写光の出射位置の間の距離を調整する投写距離調整機構と、
前記被投写面に対する前記投写像のフォーカス調整を行うフォーカス調整機構と、
前記投写距離調整機構によって調整された前記被投写面と前記出射位置の間の距離に応じて前記被投写面に前記投写像がフォーカス合わせされるよう前記フォーカス調整機構を駆動するフォーカス駆動調整部と、
を有することを特徴とする投写型表示装置。
【請求項２】
請求項１に記載の投写型表示装置において、
前記投写距離調整機構は、固定部と、該固定部に変位可能に支持された被駆動部とを備え、前記被駆動部には、少なくとも、投写レンズを含む投写光学系が配されている、
ことを特徴とする投写型表示装置。
【請求項３】
請求項２に記載の投写型表示装置において、
前記投写光学系は、前記投写レンズを透過した後の光を該投写レンズの光軸に垂直な方向よりも該投写レンズに接近する方向に反射して前記投写光を前記被投写面に向かう方向に導くミラーを備え、前記被駆動部の変位に伴い前記投写レンズの光軸方向に前記投写光学系が変位し、この変位に応じて、前記ミラーによって反射された投写光の出射位置と前記被投写面の間の距離が変位する、
ことを特徴とする投写型表示装置。
【請求項４】
請求項１ないし３の何れか一項に記載の投写型表示装置において、
前記フォーカス駆動調整部は、前記フォーカス調整機構に前記投写距離調整機構の駆動量を機械的に伝達する伝達機構を備え、該伝達機構は、前記投写距離調整機構の駆動量を、その駆動量にて前記投写距離調整機構が駆動されたときに前記被投写面に投写像がフォーカス合わせされるような前記フォーカス調整機構の駆動量に変換して、前記フォーカス調整機構に伝達する、
ことを特徴とする投写型表示装置。
【請求項５】
請求項４に記載の投写型表示装置において、
前記フォーカス調整機構は、周方向に回転駆動されるに応じて投写像のフォーカス状態が変化するフォーカス調整リングを備え、
前記伝達機構は、前記フォーカス調整リングに配された突起と、前記投写距離調整機構の被駆動部に形成され前記突起と係合し前記被駆動部の駆動に応じて前記突起を前記フォーカス調整リングの周方向に変位させるカムとを備え、
前記カムは、前記被駆動部の駆動量を前記フォーカス調整機構に適する駆動量に変換する形状を備えている、
ことを特徴とする投写型表示装置。
【請求項６】
請求項１ないし３の何れか一項に記載の投写型表示装置において、
前記フォーカス駆動調整部は、前記投写距離調整機構における駆動量を検出する駆動量検出部と、該駆動量検出部によって検出された駆動量に応じて前記フォーカス調整機構を駆動する駆動制御部とを具備する、
ことを特徴とする投写型表示装置。
【請求項７】
請求項６に記載の投写型表示装置において、
前記フォーカス調整機構は、周方向に回転駆動されるに応じて投写像のフォーカス状態が変化するフォーカス調整リングを備え、
前記駆動制御部は、前記フォーカス調整リングを前記周方向に駆動するための駆動機構と該駆動機構に動力を付与するモータとを備え、前記駆動量検出部によって検出された駆動量に応じて前記モータを駆動制御する、
ことを特徴とする投写型表示装置。
【請求項８】
請求項１ないし７の何れか一項に記載の投写型表示装置において、
画像投影用の表示素子を投写レンズの光軸に垂直な方向に光学的に変位させる表示素子駆動機構と、前記投写距離調整機構における駆動量に応じて前記表示素子駆動機構を駆動制御する表示素子駆動制御部とを備え、
前記表示素子駆動制御部は、前記投写距離調整機構の駆動位置が変化したときに生じる前記被投写面上における投写像のシフトを抑制するよう、前記表示素子駆動機構を駆動制御する、
ことを特徴とする投写型表示装置。
【発明の詳細な説明】
【技術分野】
【０００１】
本発明は、画像を被投写面上に表示する投写型表示装置に関し、特に、被投写面上に載置するタイプの投写型表示装置に用いて好適なものである。
【背景技術】
【０００２】
従来、投写型表示装置（プロジェクタ）では、画像をスクリーンや壁面等に投写するタイプが一般的であった。これに対し、最近では、構成のコンパクト化に伴い、机などに載置して机面上に画像を投写するタイプのプロジェクタ（机上等に載置するタイプのプロジェクタ）が提案されている。しかし、この場合には、投写光の出射位置と被投写面（机面）の距離がかなり短くなるため、光学設計上、レンズ群をシフトさせてズーム調整を行うのは困難である。反面、ズーム機能は、これまでのプロジェクタにおいて大きな利点であったため、この種のプロジェクタにおいても、引き続き採用される必要がある。
【０００３】
なお、プロジェクタでは、ズーム調整の他に、フォーカス調整が必須の機能となっている。一般に、フォーカス調整は、ズーム状態の変更に伴って行われる。つまり、ズーム状態の変更に応じて生じる投写像のボケを解消するために、適宜、フォーカス調整が行われる。従って、机上等に載置するタイプのプロジェクタでは、ズーム調整方法の適正化とともに、さらに、それに連動したフォーカス調整機能の実現が重要な検討課題となる。
【０００４】
なお、以下の特許文献１には、ズーム調整機能とフォーカス調整機能とを互いに連携させて自動化する発明が記載されている。しかし、この先行発明は、レンズ群をシフトさせることによってズーム調整が行われるものであるため、上述の如く、机上等に載置するタイプのプロジェクタにこの先行発明を採用するのは困難である。
【特許文献１】特開平８−２９２４９６号公報
【発明の開示】
【発明が解決しようとする課題】
【０００５】
本発明は、特に机上等に載置するタイプのプロジェクタにおいて、ズーム調整とフォーカス調整を円滑かつ簡便に行えるようにすることを課題とする。加えて、ズーム状態の変更時に生じる投写像のシフトを円滑に抑制することを課題とする。
【課題を解決するための手段】
【０００６】
上記課題に鑑み本発明は、投写型表示装置において、投写像の被投写面と投写光の出射位置の間の距離を調整する投写距離調整機構と、前記被投写面に対する前記投写像のフォーカス調整を行うフォーカス調整機構と、前記投写距離調整機構によって調整された前記被投写面と前記出射位置の間の距離に応じて前記被投写面に前記投写像がフォーカス合わせされるよう前記フォーカス調整機構を駆動するフォーカス駆動調整部とを有することを特徴とする。
【０００７】
この発明によれば、投写像の被投写面と投写光の出射位置の間の距離が投写距離調整機構によって調整される。この距離調整によって、被投写面上における投写像のサイズが変更され、投写像のズーム調整が行われる。また、この距離調整に連携してフォーカス調整機構が駆動され、被投写面上における投写像のフォーカス調整が行われる。このように、本発明によれば、ズーム調整とフォーカス調整が互いに連携して行われる。なお、ズーム調整は、投写像の被投写面と投写光の出射位置の間の距離を調整することにより行われるため、机上等に載置するタイプの投写型表示装置にも本発明を円滑に適用できる。
【０００８】
この発明において、投写距離調整機構は、固定部と、該固定部に変位可能に支持された被駆動部とを備えるものとすることができる。ここで、被駆動部には、少なくとも、投写レンズを含む投写光学系が配される。なお、被駆動部には、投写光学系の他、投写型表示装置の本体全てを配するようにしても良い。
【０００９】
さらに、投写光学系は、投写レンズを透過した後の光を投写レンズの光軸に垂直な方向よりも投写レンズに接近する方向に反射して投写光を被投写面に向かう方向に導くミラーを備えるものとすることができる。この場合、被駆動部の変位に伴い投写光学系が投写レンズの光軸方向に変位することに応じて、ミラーによって反射された投写光の出射位置と被投写面の間の距離が変位する。このように構成することにより、投写光を投写目標の被投写面に円滑に導くことができる。さらに、このミラーの光入射面を凹曲面とし、その曲面形状を調整することにより、投写光の出射位置と被投写面の間の距離が小さい場合にも、適正に、投写像を被投写面上に投写することができる。この構成例は、上記机上等に載置するタイプのプロジェクタに用いて好ましいものである。
【００１０】
上記各発明において、フォーカス駆動調整部は、フォーカス調整機構に対し投写距離調整機構の駆動量を機械的に伝達する伝達機構を備えものとすることができる。ここで、この伝達機構は、投写距離調整機構の駆動量を、投写像がフォーカス合わせされるようなフォーカス調整機構の駆動量に変換して、フォーカス調整機構に伝達する。この構成例では、フォーカス調整機構は、投写距離調整機構の駆動に機構的に連動して駆動され、これにより、ズーム調整とフォーカス調整の自動化が実現される。このように、この構成例では、フォーカス調整機構と投写距離調整機構が機構的に連動されるため、位置検出用のセンサ手段やフォーカス調整機構を駆動するための駆動源等を別途配する必要がなく、高コスト化を抑制することができる。
【００１１】
なお、フォーカス調整機構は、周方向に回転駆動されるに応じて投写像のフォーカス状態が変化するフォーカス調整リングを備える構成とされ得る。この場合、上記伝達機構は、フォーカス調整リングに配された突起と、投写距離調整機構の被駆動部に形成され突起と係合しさらに被駆動部の駆動に応じて突起をフォーカス調整リングの周方向に変位させるカムとを備える構成とすることができる。ここで、カムは、被駆動部の駆動量をフォーカス調整機構に適する駆動量に変換する形状を備えている。この構成例では、伝達機構が、突起とカムによって構成されるため、構成の簡素化を図ることができる。
【００１２】
さらに、フォーカス調整機構と投写距離調整機構の連動は、機構的な連動形態の他に、電気的な連動形態によっても実現され得る。この場合、フォーカス駆動調整部は、投写距離調整機構における駆動量を検出する駆動量検出部と、該駆動量検出部によって検出された駆動量に応じてフォーカス調整機構を駆動する駆動制御部とを具備する構成とすることができる。
【００１３】
また、フォーカス調整機構が、周方向に回転駆動されるに応じて投写像のフォーカス状態が変化するフォーカス調整リングを備える場合、駆動制御部は、フォーカス調整リングを周方向に駆動するための駆動機構と該駆動機構に動力を付与するモータとを備え、駆動量検出部によって検出された駆動量に応じてモータを駆動制御するよう構成することができる。
【００１４】
加えて、上記各発明において、フォーカス調整の他に、被投写面上における投写像のシフトを抑制する作用を、ズーム調整に連動して発現させるようにすることもできる。この場合、投写型表示装置は、上記構成に加え、さらに、画像投影用の表示素子を投写レンズの光軸に垂直な方向に光学的に変位させる表示素子駆動機構と、投写距離調整機構における駆動量に応じて表示素子駆動機構を駆動制御する表示素子駆動制御部とを備える。ここで、表示素子駆動制御部は、投写距離調整機構の駆動位置が変化したときに生じる被投写面上における投写像のシフトを抑制するよう、表示素子駆動機構を駆動制御する。この構成例によれば、ズーム状態が変更されても投写面上に表示された画像にシフトが生じることはなく、よって、ユーザに、違和感のない良好な画像を提供することができる。
【発明の効果】
【００１５】
以上のとおり、本発明によれば、机上等に載置するタイプのプロジェクタに適用された場合にも、ズーム調整とフォーカス調整を円滑かつ簡便に行うことができる。加えて、上記の如く画像シフトの抑制作用をズーム調整に連動させた場合には、ズーム状態の変更に伴って生じる投写像のシフトを円滑に抑制することができる。
【００１６】
本発明の効果ないし意義は、以下に示す実施の形態の説明により更に明らかとなろう。ただし、以下の実施の形態は、あくまでも、本発明を実現する際の一つの例示であって、本発明は、以下に示す実施の形態に何ら制限されるものではない。
【発明を実施するための最良の形態】
【００１７】
以下、本発明の実施の形態につき図面を参照して説明する。本実施の形態は、机上に載置するタイプのプロジェクタに本発明を適用したものである。
【００１８】
図１（ａ）はプロジェクタ本体１００の斜視図、図１（ｂ）はプロジェクタ本体１００を上下方向に変位可能に支持するホルダ２００の斜視図である。なお、プロジェクタ本体１００は特許請求の範囲における被駆動部に対応し、ホルダ２００は特許請求の範囲における固定部に対応する。
【００１９】
まず、図１（ａ）を参照して、プロジェクタ本体１００の構造を説明する。プロジェクタ本体１００は、上部筐体１０１と下部筐体１０２を備えている。このうち、上部筐体１０１には、投写レンズ１０３とミラー１０５が収容され、下部筐体１０２には、投写レンズ１０３以外の光学系と、光源および表示素子等を駆動制御するための回路部が収容されている。
【００２０】
投写レンズ１０３には、フォーカス調整リング１０３ａが配されており、これを周方向に回転駆動することにより、被投写面上における投写像のフォーカス状態が変化する。上部筐体１０１の背面には水平方向に切欠き１０４が形成されており、この切欠き１０４を介して、フォーカス調整リング１０３ａの外周面に植設されたピン１０３ｂが外部に突出している。さらに、上部筐体１０１の前面には、ミラー１０５によって反射された投写光を被投写面に導くための投写窓１０６が配されている。
【００２１】
なお、ミラー１０５は、光入射側の面が凹曲面となっており、この曲面は、被投写面に投写像を適正に投写できるような形状に調整されている。つまり、このように設計されたミラー１０５を投写レンズ１０３の後段側に配することにより、本実施の形態に係る机上載置タイプのプロジェクタのように投写光の出射位置（投写窓１０６の位置）と被投写面（机面）の間の距離が小さい場合にも、適正に、投写像を被投写面上に投写することができる。
【００２２】
下部筐体１０２には、上下方向に伸びる突条１０７が前面と背面にそれぞれ２ずつ形成されている。また、下部筐体１０２の背面には、上下方向に伸びる２つのラックギア１０８が、２つの突条１０７よりも左右側面側の位置に、それぞれ形成されている。
【００２３】
次に、図１（ｂ）を参照して、ホルダ２００の構造を説明する。ホルダ２００は、有底方形状の筐体となっており、背面側に壁部２０１が形成されている。また、開口部２０２の前面側および背面側の内側面には、プロジェクタ本体１００側の突条１０７にそれぞれ係合するガイド２０３が形成されている。また、ホルダ２００の左右の側面には、ボス部２０４が形成されており、それぞれのボス部２０４には開口部２０２に貫通する孔２０４ａが形成されている。さらに、ホルダ２００の背面にはボス部（図示せず）が形成されており、このボス部には開口部２０２に貫通するネジ孔２０５が形成されている。また、壁部２０１には、プロジェクタ本体１００側のピン１０３ｂに係合するガイド溝２０６が形成されており、このガイド溝２０６は、導入部２０６ａとカム部２０６ｂからなっている。
【００２４】
プロジェクタ本体１００をホルダ２００に収容する際には、プロジェクタ本体１００側の４つの突条１０７をそれぞれガイド２０３に係合させながら、プロジェクタ本体１００をホルダ２００の上方から開口部２０２内へ挿入する。その際、プロジェクタ本体１００側のピン１０３ｂをガイド溝２０６の導入部２０６ａに挿通させ、さらにカム部２０６ｂに沿って回転させながらピン１０３ｂをカム部２０６ｂの奥部まで移動させる。
【００２５】
なお、この収容時に、図２に示す如く、２つのピニオンギア３０１を、プロジェクタ本体１００側の２つのラックギア１０８にそれぞれ噛合させつつ、ホルダ２００に装着する。これら２つのピニオンギア３０１は、２つのシャフト３０２にそれぞれ軸着されている。これら２つのシャフト３０２は、それぞれホルダ２００の左右側面に形成された孔２０４ａに挿入されている。ボス部２０４から外部に突出したシャフト３０２の端部にはノブ３０３が装着される。これにより、２つのピニオンギア３０１は、ノブ３０３を回転させることにより回転する。したがって、ノブ３０３を回転させると、その駆動力がピニオンギア３０１を介してラックギア１０８に伝達され、プロジェクタ本体１００がガイド２０３に沿って上下に移動する。
【００２６】
なお、ホルダ２０５の背面に形成されたネジ孔２０５には、ネジ部を有するストッパ３０４が螺合している。このストッパ３０４を旋回させることにより、ストッパ３０４の先端部がプロジェクタ本体１００の背面に圧接され、これにより、上下方向におけるプロジェクタ本体１００の移動が規制される。
【００２７】
図２は、プロジェクタ本体１００をホルダ２００内に収容したときの状態を示す図である。なお、同図（ａ）はプロジェクタの背面図、同図（ｂ）はプロジェクタの左側面図である。
【００２８】
同図に示す状態からストッパ３０４を緩め、ノブ３０３を同図（ｂ）の矢印方向に旋回させると、プロジェクタ本体１００がガイド２０３に沿って上方に移動する。この移動に伴ってピン１０３ｂがカム部２０６ｂに沿って移動し、これにより、フォーカス調整リング１０３ａが周方向に回転される。
【００２９】
ここで、カム部２０６ｂの形状は、プロジェクタ本体１００の駆動量がフォーカス調整リング１０３ａに適する駆動量に変換される形状とされている。すなわち、その駆動量にてプロジェクタ本体１０１が駆動された状態にあるときに投写像が机面（被投写面）上に適正にピント合わせされるよう、カム部２０６ｂによって、プロジェクタ本体１００の駆動量がフォーカス調整リング１０３ａの回転量に変換される。なお、カム部２０６ｂに係合するピン１０３ｂの部分には、ピン１０３ｂがカム部２０６ｂ内を滑り易いようにするための手段（リング等）が付加されるのが好ましい。
【００３０】
図３は、プロジェクタ本体１００を最上部まで移動させたときの状態を示す図である。なお、同図（ａ）はプロジェクタの背面図、同図（ｂ）はプロジェクタの左側面図である。この状態においてストッパ３０４を作用させると、プロジェクタ本体１００は同図の位置にロックされる。このとき、ピン１０３ｂはカム部２０６ｂの最上部に位置づけられ、これにより、プロジェクタのフォーカス状態は、プロジェクタ本体１００が最上部にあるときに投写像が机面上にて適正にピント合わせされる状態とされる。
【００３１】
なお、プロジェクタ本体１００が図３の状態まで変位する前にプロジェクタ本体１００をロックさせることもできる。この場合には、プロジェクタ本体１００が所望の位置にあるときにストッパ３０４を作用させれば良い。この状態にあるときも、ピン１０３ｂは、カム部２０６ｂの作用により、投写像が机面上にて適正にピント合わせされる位置に位置づけられる。
【００３２】
図４は、プロジェクタ本体１００を上下に変位させたときの投写サイズの変化を示す図である。同図（ａ）は、プロジェクタ本体１００が最下部にあるときの状態を示す図、同図（ｂ）は、プロジェクタ本体１００が最上部にあるときの状態を示す図である。
【００３３】
図示の如く、プロジェクタ本体１００を最下部から最上部に変化させるに伴って、投写光の出射位置（投写窓１０６の位置）と机面との間の距離が長くなる。これにより、机面上における投写サイズは、投写サイズＡから投写サイズＢへと拡張される。
【００３４】
図５は、プロジェクタ本体１００を上下に変位させたときのフォーカス調整用レンズ群のシフト状態を示す図である。同図（ａ−１）、（ａ−２）は、それぞれ、プロジェクタ本体１００が最下部にあるときのピン１０３ｂの位置と、フォーカス調整用レンズ群のシフト位置を示す図、同図（ｂ−１）、（ｂ-２）は、それぞれ、プロジェクタ本体１００が最上部にあるときのピン１０３ｂの位置とフォーカス調整用レンズ群のシフト位置を示す図である。なお、フォーカス調整レンズ群は、投写レンズ１０３の一部を構成しており、フォーカス調整リング１０３ａを旋回させるに応じて光軸方向に変位する。これにより、投写光のフォーカス状態が変化する。
【００３５】
図示の如く、プロジェクタ本体１００を最下部から最上部に変化させるに伴って、ピン１０３ｂが切欠き１０４の一方の端部から他方の端部へと移動し、フォーカス調整用レンズ群が同図の矢印ｄ方向にシフトする。これにより、机面上における投写像は、そのときどきの投写サイズに適したフォーカス状態に設定される。
【００３６】
以上、説明したとおり、本実施の形態によれば、ノブ３０３を旋回させるのみで、投写サイズの変更と投写像のフォーカス調整を同時に行うことができる。また、ピン１０３ｂとカム２０６ｂを形成するのみで、フォーカス調整リング１０３ａの駆動をプロジェクタ本体１００の駆動に連動させることができるため、ズーム調整とフォーカス調整の連携機構を極めて簡素なものとすることができる。さらに、本実施の形態によれば、プロジェクタ本体１００の変位量を検出するためのセンサや、その検出結果に応じてフォーカス調整リング１０３ａを旋回させるためのモータ等が不要となるため、構成の簡素化とともにコストの低減を図ることができる。
【００３７】
なお、上記実施の形態は、ノブ３０３を手で旋回することを想定したものであるが、モータ等の動力をもってノブ３０３を旋回させるようにすることもできる。
【００３８】
また、プロジェクタ本体１００を上下方向に段階的に変位させるよう構成することもできる。この場合、ネジ孔２０５はネジ溝のない孔に変更され、ストッパ３０４もネジ溝のないピンに変更される。さらに、バネ等の付勢手段によってストッパ３０４がプロジェクタ本体１００の背面方向に付勢され、ストッパ３０４の先端が下部筐体１０２の背面に圧接される。下部筐体１０２の背面には、ストッパ３０４の先端部に対向する位置に、一連の凹部が上下方向に沿って形成される。これら凹部は、プロジェクタ本体１００が上下方向に変位する際に、ストッパ３０４が付勢に抗して変位することにより、ストッパの先端部との係合が外れるよう、エッジ部に丸みが付けられる。
【００３９】
このように構成することにより、ノブ３０３を旋回させてプロジェクタ本体１００を上下方向に移動させると、ストッパ３０４の先端部が下部筐体１０２背面の凹部との間で係合を繰り返すようになり、両者が係合する位置においてプロジェクタ本体が一時的にロックされることとなる。これにより、プロジェクタ本体１００が上下方向に段階的に変位するようになる。
【００４０】
さらに、上記実施の形態では、ノブ３０３を旋回することによりプロジェクタ本体１００を変位させるようにしたが、スライダをホルダ２００に対し上下にスライドさせることによりプロジェクタ本体１００を変位させるようにすることもできる。
【００４１】
図６は、この場合の構成例を示す図である。同図（ａ）はプロジェクタの背面図、同図（ｂ）はプロジェクタの左側面図である。
【００４２】
この構成例では、ホルダ２００の背面に切欠き２０７が形成されており、この切欠き２０７を介してピニオンギア３０１が外部に露出している。なお、ピニオンギア３０１は、ホルダ２００の背面から少し突出するような径とされている。また、上記実施の形態に比べ、ボス部２０４の外形が小さくなっている。さらに、ピン１０３ｂの端部がカム部２０６ｂから外部に突出しないよう構成されている。
【００４３】
スライダ４００は、上下面が開放された方形筒形状を有しており、背面に切欠き４０１が形成されている。この切欠き４０１は、ホルダ２００背面のボス（ネジ孔２０５が形成されている部分）に、スライダ４００背面の下端部が衝突するのを回避するために形成されている。また、スライダ４００の背面側内側面には、ピニオンギア３０１に噛合するラックギア４０２が形成されている。さらに、スライダ４００の左右側面には、ホルダ２００側のボス部２０４との衝突を回避するための切欠き４０３が形成されている。なお、スライダ４００の内周面の輪郭は、ホルダ２００外周面の輪郭よりも少しだけ大きな輪郭となっている。
【００４４】
スライダ４００は、その内周面にホルダ２００の外周面が嵌められるようにしてホルダ２００に装着される。なお、スライダ４００の内周面には、スライダ４００がホルダ２００に沿って上下に変位するよう、ホルダ２００の外周面に当接する突条（図示せず）が上下方向に形成されている。このようにしてスライダ４００がホルダ２００に嵌められると、スライダ４００の背面側内側面に形成されたラックギア４０２がピニオンギア３０１に噛合する。
【００４５】
図７は、ラックギア４０２がピニオンギア３０１に噛合したときの状態を示す図である。同図（ａ）はプロジェクタの背面図、同図（ｂ）はプロジェクタの左側面図である。
【００４６】
この状態からスライダ４００をさらに押し下げると、ラックギア４０２とピニオンギア３０１が噛合しているため、ピニオンギア３０１が同図（ｂ）の矢印方向に旋回する。これにより、スライダ４００を押し下げるために付与された駆動力がピニオンギア３０１を介してラックギア１０８に伝達され、プロジェクタ本体１００がガイド２０３に沿って上方向に移動する。
【００４７】
図８は、スライダ４００を最下部まで押し下げたときの状態を示す図である。同図（ａ）はプロジェクタの背面図、同図（ｂ）はプロジェクタの左側面図である。この状態においてストッパ３０４を作用させると、プロジェクタ本体１００は同図の位置にロックされる。このとき、ピン１０３ｂはカム部２０６ｂの最上部に位置づけられ、これにより、プロジェクタのフォーカス状態は、プロジェクタ本体１００が最上部にあるときに投写像が机面上にて適正にピント合わせされる状態とされる。
【００４８】
なお、上記実施の形態と同様、プロジェクタ本体１００が図８の状態まで変位する前にプロジェクタ本体１００をロックさせることもできる。この場合には、プロジェクタ本体１００が所望の位置にあるときにストッパ３０４を作用させれば良い。この状態にあるときも、ピン１０３ｂは、カム部２０６ｂの作用により、投写像が机面上にて適正にピント合わせされる位置に位置づけられる。
【００４９】
ところで、上記実施の形態では、ピン１０３ｂとカム部２０６ｂによって、プロジェクタ本体１００の移動とフォーカス調整リング１０３ａの回転を機構的に連動させるようにしたが、プロジェクタ本体１００の変位量を検出する手段を別途配置し、その検出結果に応じてフォーカス調整レンズ１０３ａを回転制御するようにすることもできる。
【００５０】
図９は、その構成例を示す図である。この構成例では、プロジェクタ本体１００の左側面に一連の透孔が形成されたスリット板１１０が配され、また、ホルダ２００側には、スリット板１１０を挟むようにフォトカプラ１１０が配されている。また、フォーカス調整リング１１３には、外周面にギア部が形成されており、上部筐体１０１内に配されたピニオンギア１１４がフォーカス調整リング１１３外周面のギア部に噛合している。なお、ピニオンギア１１４は、下部筐体１０２に配されたモータ（図示せず）の駆動軸に軸着されている。なお、プロジェクタ本体およびホルダ２００のその他の構成は、上記実施の形態と同様である。
【００５１】
プロジェクタ本体１００が上下に移動されると、フォトカプラ１１１からの信号がパルス状に変化する。初期位置からのパルス数をカウントするにより、プロジェクタ本体１００の位置が検出される。この検出結果に応じて、ピニオンギア１１４が駆動され、フォーカス調整リング１１３が適正位置に回転される。すなわち、その駆動量にてプロジェクタ本体１０１が駆動された状態にあるときに投写像が机面（被投写面）上に適正にピント合わせされるよう、ピニオンギア１１４を介して、フォーカス調整リング１０３ａが回転制御される。なお、これらの制御は、下部筐体１０２内に配された回路部によって行われる。
【００５２】
ところで、上記実施の形態では、たとえば図４を参照して分かるとおり、投写サイズの変更に応じて、プロジェクタ側の投写像端縁が、プロジェクタに接近および離間する方向にシフトする。図１０に、これを回避するための構成例を示す。
【００５３】
この構成例では、下部筐体１０２にＺ軸ステージ５０１が配され、このＺ軸ステージ５０１に、Ｒ（Ｒｅｄ）、Ｇ（Ｇｒｅｅｎ）、Ｂ（Ｂｌｕｅ）用の表示素子５０２と、これら表示素子５０２を透過した光を結合して投写レンズ１０３へと導くダイクロプリズム（図示せず）からなる光学アセンブルが装着されている。Ｚ軸ステージ５０１を駆動することにより、光学アセンブルは、投写レンズ１０３の光軸に直交する方向に変位する。これにより、表示素子５０２が、投写レンズ１０３の光軸に直交する方向に変位する。
【００５４】
図１１は、この構成例の動作を説明する図である。なお、同図（ａ）は、表示素子を変位させないときの投写像の状態を示し、同図（ｂ）は、上記構成例における投写像の状態を示している。
【００５５】
同図（ａ）に示すように、表示素子を変位させない場合には、プロジェクタ本体１００を上下方向に変位させると、机面上に投写された画像にシフトが生じる。これに対し、プロジェクタ本体１００を最上部位置に移動させたときに表示素子５０２を同図（ｂ）のワイド端位置（実線位置）に位置づけ、プロジェクタ本体１００を最下部位置に移動させたときに表示素子５０２を同図（ｂ）のテレ端位置（点線位置）に位置づけると、同図（ｂ）に示す如く、机面上における画像シフトが解消される。なお、テレ端時とワイド端時の表示素子の変位差は、プロジェクタ本体１００の変位量と、投写光出射位置と机面（被投写位置）の距離変化に応じて適宜設定される。
【００５６】
図１１の構成例では、このように投写像のシフトが抑制されるよう、プロジェクタ本体１００の変位位置に応じて表示素子５０２の位置が調整される。たとえば、プロジェクタが図９のように構成される場合には、プロジェクタ本体１００の位置検出に応じてＺ軸ステージ５０１が駆動され、プロジェクタ本体１００の設定位置に適する位置に表示素子５０２が位置づけられる。
【００５７】
この構成例によれば、投写サイズの変更と投写像のフォーカス調整を同時に行えるとともに、投写像のシフトをさらに抑制することができ、ユーザメリットの高いプロジェクタを提供することができる。
【００５８】
以上、本発明の実施形態について説明したが、本発明はこれに制限されるものではない。また、本発明の実施形態は、上記の他に、特許請求の範囲に示された技術的思想の範囲内において、適宜、種々の変更が可能である。
【図面の簡単な説明】
【００５９】
【図１】実施の形態に係るプロジェクタ本体およびホルダの構成を示す図
【図２】プロジェクタ本体をホルダ内に収容したときの状態を示す図
【図３】プロジェクタ本体を最上部位置に移動させたときの状態を示す図
【図４】実施の形態に係るプロジェクタのズーム動作を説明する図
【図５】実施の形態に係るプロジェクタのフォーカス調整動作を説明する図
【図６】実施の形態に係るプロジェクタの他の構成例を示す図
【図７】スライダを下方に押し下げる前の状態を示す図
【図８】スライダを下方に押し下げた後の状態を示す図
【図９】実施の形態に係るプロジェクタの他の構成例を示す図
【図１０】実施の形態に係るプロジェクタの他の構成例を示す図
【図１１】実施の形態に係るプロジェクタの画像シフト抑制作用を説明する図
【符号の説明】
【００６０】
１００    プロジェクタ本体
１０３    投写レンズ
１０３ａ  フォーカス調整リング
１０３ｂ  ピン
１０８    ラックギア
１１０    スリット板
１１１    フォトカプラ
１１３    フォーカス調整リング
１１４    ピニオンギア
２００    ホルダ
２０６    ガイド溝
２０６ｂ  カム部
２０７    切欠き
３０１    ピニオンギア
３０２    シャフト
３０３    ノブ
４００    スライダ
４０２    ラックギア
５０１    Ｚ軸ステージ
５０２    表示素子
【図１】
2008203340.tif 000003
【図２】
2008203340.tif 000004
【図３】
2008203340.tif 000005
【図４】
2008203340.tif 000006
【図５】
2008203340.tif 000007
【図６】
2008203340.tif 000008
【図７】
2008203340.tif 000009
【図８】
2008203340.tif 000010
【図９】
2008203340.tif 000011
【図１０】
2008203340.tif 000012
【図１１】
2008203340.tif 000013